(57)【要約】  ネットワーク局は、複数の無線通信方式を実装する無線通信端末にて、ネットワーク側に対応する無線通信方式を用いて送受信される無線フレーム、およびローカル側に対応する無線通信方式を用いて送受信される無線フレームの送受信タイミングを予めスケジューリングした複数のスケジューリング情報からなるフレームスケジューリング表を保有する。そして、ネットワーク局は、自局の管理下にある無線通信端末から、電波干渉を検知した旨の通知を受信すると、電波干渉を検知した旨の通知の送信元である無線通信端末に現に割り当てられているフレームスケジューリング情報を変更する。
2010073325.tif 000002
【特許請求の範囲】
【請求項１】
複数の無線通信方式を実装する通信装置にて、ネットワーク側に対応する無線通信方式を用いて送受信される無線フレーム、およびローカル側に対応する無線通信方式を用いて送受信される無線フレームの送受信タイミングを予めスケジューリングした複数のスケジューリング情報を記憶するスケジューリング情報記憶部と、
自局の管理下にある通信装置に対して、前記スケジューリング情報記憶部に記憶されている前記スケジューリング情報の中から、いずれかを割り当てるスケジューリング情報割当部と、
前記スケジューリング情報割当部により割り当てられたスケジューリング情報を通信装置に通知するスケジューリング情報通知部と、
前記通信装置から電波干渉を検知した旨の通知を受信する電波干渉通知受信部とを有し、
前記スケジューリング情報割当部は、前記電波干渉通知受信部により電波干渉を検知した旨の通知が受信された場合には、前記電波干渉を検知した旨の通知の送信元である通信装置について、前記スケジューリング情報割当部により現に割り当てられているスケジューリング情報とは異なるスケジューリング情報を前記スケジューリング情報記憶部の中から選択して、前記電波干渉を検知した旨の通知の送信元である通信装置に新たに割り当て、
前記スケジューリング情報通知部は、前記スケジューリング情報割当部により新たに割り当てられたスケジューリング情報を前記電波干渉を検知した旨の通知の送信元である通信装置に通知することを特徴とするネットワーク装置。
【請求項２】
前記電波干渉を検知した旨の通知の送信元である通信装置の近傍に位置する通信装置を特定する通信装置特定部をさらに有し、
前記スケジューリング情報割当部は、前記通信装置特定部により特定された通信装置について、前記スケジューリング情報割当部により現に割り当てられているスケジューリング情報と同一のスケジューリング情報を前記スケジューリング情報記憶部の中から選択して、前記電波干渉を検知した旨の通知の送信元である通信装置に新たに割り当てることを特徴とする請求項１に記載のネットワーク装置。
【請求項３】
前記電波干渉通知受信部は、電波干渉範囲内にある通信装置間でやり取りされ、各通信装置に割り当てられているスケジューリング情報を特定するためのスケジューリング特定情報を、前記電波干渉を検知した旨の通知とともに受信し、
前記スケジューリング情報割当部は、前記電波干渉通知受信部により受信されたスケジューリング特定情報に一致したスケジューリング情報を前記スケジューリング情報記憶部の中から選択して、前記電波干渉を検知した旨の通知の送信元である通信装置に新たに割り当てることを特徴とする請求項１に記載のネットワーク装置。
【請求項４】
前記ローカル側の無線通信品質が所定の条件を満足する場合には、前記ネットワーク装置に対して電波干渉を検知した旨の通知を送信する電波干渉送信部と、
前記ネットワーク装置から通知されたスケジューリング情報に基づいて、ネットワーク側に対応する無線通信方式を用いて無線フレームを送受信するとともに、ローカル側に対応する無線通信方式を用いて無線フレームを送受信する通信制御部と
を有することを特徴とする通信装置。
【請求項５】
通信装置を管理下におくネットワーク装置は、
複数の無線通信方式を実装する通信装置にて、ネットワーク側に対応する無線通信方式を用いて送受信される無線フレーム、およびローカル側に対応する無線通信方式を用いて送受信される無線フレームの送受信タイミングを予めスケジューリングした複数のスケジューリング情報を記憶するスケジューリング情報記憶部の中から、いずれかのスケジューリング情報を選択して、自局の管理下にある通信装置に割り当てるスケジューリング情報割当ステップと、
前記スケジューリング情報割当ステップにより割り当てられたスケジューリング情報を通信装置に通知するスケジューリング情報通知ステップと、
前記通信装置から電波干渉を検知した旨の通知を受信する電波干渉通知受信ステップと
を含み、
前記スケジューリング情報割当ステップは、前記電波干渉通知受信ステップにより電波干渉を検知した旨の通知が受信された場合には、前記電波干渉を検知した旨の通知の送信元である通信装置について、前記スケジューリング情報割当ステップにより現に割り当てられているスケジューリング情報とは異なるスケジューリング情報を前記スケジューリング情報記憶部の中から選択して、前記電波干渉を検知した旨の通知の送信元である通信装置に新たに割り当て、
前記スケジューリング情報通知ステップは、前記スケジューリング情報割当ステップにより新たに割り当てられたスケジューリング情報を前記電波干渉を検知した旨の通知の送信元である通信装置に通知することを特徴とする通信制御方法。
【請求項６】
複数の無線通信方式を実装し、ネットワーク装置の管理下にある通信装置は、
ローカル側の無線通信品質が所定の条件を満足する場合には、前記ネットワーク装置に対して電波干渉を検知した旨の通知を送信する電波干渉送信部と、
前記ネットワーク装置から通知されたスケジューリング情報に基づいて、ネットワーク側に対応する無線通信方式を用いて無線フレームを送受信するとともに、ローカル側に対応する無線通信方式を用いて無線フレームを送受信する通信制御部と
を有し、
複数の無線通信方式を実装した複数の通信装置を管理下におくネットワーク装置は、
複数の無線通信方式を実装する通信装置にて、ネットワーク側に対応する無線通信方式を用いて送受信される無線フレーム、およびローカル側に対応する無線通信方式を用いて送受信される無線フレームの送受信タイミングを予めスケジューリングした複数のスケジューリング情報を記憶するスケジューリング情報記憶部と、
自局の管理下にある通信装置に対して、前記スケジューリング情報記憶部に記憶されている前記スケジューリング情報の中から、いずれかを割り当てるスケジューリング情報割当部と、
前記スケジューリング情報割当部により割り当てられたスケジューリング情報を通信装置に通知するスケジューリング情報通知部と、
前記通信装置から電波干渉を検知した旨の通知を受信する電波干渉通知受信部と
を有し、
前記スケジューリング情報割当部は、前記電波干渉通知受信部により電波干渉を検知した旨の通知が受信された場合には、前記電波干渉を検知した旨の通知の送信元である通信装置について、前記スケジューリング情報割当部により現に割り当てられているスケジューリング情報とは異なるスケジューリング情報を前記スケジューリング情報記憶部の中から選択して、前記電波干渉を検知した旨の通知の送信元である通信装置に新たに割り当て、
前記スケジューリング情報通知部は、前記スケジューリング情報割当部により新たに割り当てられたスケジューリング情報を前記電波干渉を検知した旨の通知の送信元である通信装置に通知することを特徴とする通信制御システム。
【発明の詳細な説明】
【技術分野】
【０００１】
この発明は、ネットワーク装置、通信装置、通信制御方法および通信制御システムに関する。
【背景技術】
【０００２】
次世代移動通信システムを実現する高速無線ネットワークの規格の一つとして、標準化が進められているIEEE  802.16e（以下、「WiMAX」と記載する）では、現在の商用化を目指して、各国の通信機器メーカやオペレータにより、相互接続試験やフィールドトライアルが実施されている。【０００３】
例えば、Bluetooth（登録商標）などの比較的近距離通信向けの無線通信技術を用いて、ワイヤレスで音声データを転送する技術が存在するが、上記WiMAXの一利用形態として、この技術を採用するものも考えられる。例えば、図１１に示すように、WiMAXを使用する無線通信端末（例えば、携帯端末）が無線ネットワーク側から受信したデータを、無線通信端末の近くにある別の端末接続機器（例えば、ヘッドセット）に対してワイヤレスで転送する。なお、図１１は、従来の無線通信システムの構成例を示す図である。【０００４】
また、上記した無線通信技術では、異なる無線通信方式を用いる複数の通信端末が同一の周波数帯を用いて通信を行うと、端末間で電波干渉を引き起こし、通信性能が劣化する場合がある。このため、例えば、特許文献１では、異なる無線通信方式を用いる複数の通信端末が同一の周波数帯を用いることを原因として発生する電波干渉に起因した通信性能の劣化を抑えることを目的とした技術が提案されている。【０００５】
【特許文献１】特開２００２−３００１７２号公報
【発明の開示】
【発明が解決しようとする課題】
【０００６】
ところで、上記したBluetoothやWiMAXなど、複数の無線通信方式を利用する無線通信端末では、端末内部の電波干渉の発生により通信障害が発生する恐れがある。【０００７】
例えば、WiMAXで使用される周波数帯域「2.3GHz、2.5GHz」と、Bluetoothで使用される「2.4GHz」との間には、空き周波数幅が狭い。したがって、無線ネットワークとの通信など、外部通信用の無線通信方式であるWiMAXと、比較的近距離のデバイスとの通信など、機器間接続用の無線通信方式であるBluetoothとを実装した無線通信端末では、端末の内部で電波干渉が発生する可能性がある。このようなことから、複数の無線通信方式を利用する通信端末では、端末内部の電波干渉による通信障害が発生する恐れがある。【０００８】
上述してきたような問題に対して、無線通信端末内部の電波干渉を避けるための技術についての議論も行われている。具体的には、図１２に示すように、WiMAXを用いた通信を基軸とした通信時間幅を定義し、WiMAXを用いた通信を行う区間とBluetooth（同図「ＢＴ」）を用いた通信を行う区間とをタイムシェアリングしたスケジュールを作成する。そして、作成されたスケジュールに基づいて、通信を行わない無線通信方式側の周波数の出力を停止して、内部の電波干渉を回避するというものである（Co-existence機能）。なお、図１２は、WiMAXを用いた通信を行う区間とBluetoothを用いた通信を行う区間とをタイムシェアリングしたスケジュール例である。【０００９】
しかしながら、上記議論により提案される技術では、以下に説明するような問題がある。WiMAXの最長通信距離は数１０Ｋｍ、Bluetoothの最長通信距離は１００ｍと言われている。そして、図１３に示すように、同じ無線通信端末内のWiMAX通信とBluetooth通信の内部干渉を回避する機能を実装している複数の無線通信端末が、数ｍの近隣範囲内で同時に通信を行う場合には、異なる端末間で、WiMAXを用いた通信の周波数と、Bluetoothを用いた通信の周波数とが電波干渉を引き起こしてしまうことが考えられる。なお、図１３は、従来の問題点を説明するための図である。【００１０】
そこで、この発明は、上述した従来技術の課題を解決するためになされたものであり、自端末内の電波干渉のみならず、隣接する通信装置間の電波干渉をも防止することが可能なネットワーク装置、通信装置、通信制御方法および通信制御システムを提供することを目的とする。
【課題を解決するための手段】
【００１１】
上述した課題を解決し、目的を達成するため、開示の装置は、複数の無線通信方式を実装する通信装置にて、ネットワーク側に対応する無線通信方式を用いて送受信される無線フレーム、およびローカル側に対応する無線通信方式を用いて送受信される無線フレームの送受信タイミングを予めスケジューリングした複数のスケジューリング情報を記憶するスケジューリング情報記憶部と、自局の管理下にある通信装置に対して、前記スケジューリング情報記憶部に記憶されている前記スケジューリング情報の中から、いずれかを割り当てるスケジューリング情報割当部と、前記スケジューリング情報割当部により割り当てられたスケジューリング情報を通信装置に通知するスケジューリング情報通知部と、前記通信装置から電波干渉を検知した旨の通知を受信する電波干渉通知受信部とを有し、前記スケジューリング情報割当部は、前記電波干渉通知受信部により電波干渉を検知した旨の通知が受信された場合には、前記電波干渉を検知した旨の通知の送信元である通信装置について、前記スケジューリング情報割当部により現に割り当てられているスケジューリング情報とは異なるスケジューリング情報を前記スケジューリング情報記憶部の中から選択して、前記電波干渉を検知した旨の通知の送信元である通信装置に新たに割り当て、前記スケジューリング情報通知部は、前記スケジューリング情報割当部により新たに割り当てられたスケジューリング情報を前記電波干渉を検知した旨の通知の送信元である通信装置に通知する。
【発明の効果】
【００１２】
開示の装置によれば、複数の無線通信方式を実装する無線通信端末が隣接している場合に発生する無線通信端末間の電波干渉を防止する。
【図面の簡単な説明】
【００１３】
【図１】図１は、実施例１に係るネットワーク局を説明するための図である。
【図２】図２は、実施例１に係る装置構成を示す図である。
【図３】図３は、実施例１に係る電波干渉検出条件の例を示す図である。
【図４】図４は、実施例１に係る端末管理テーブルの構成例を示す図である。
【図５】図５は、実施例１に係るフレームスケジューリング表の構成例を示す図である。
【図６】図６は、実施例１に係る装置間の処理の流れを示す図である。
【図７】図７は、実施例１に係る装置間の処理の流れを示す図である。
【図８】図８は、実施例２に係る装置構成を示す図である。
【図９】図９は、実施例２に係る装置構成を示す図である。
【図１０】図１０は、実施例２に係る効果を説明するための図である。
【図１１】図１１は、従来の無線通信システムの構成例を示す図である。
【図１２】図１２は、WiMAXを用いた通信を行う区間とBluetoothを用いた通信を行う区間とをタイムシェアリングしたスケジュール例である。
【図１３】図１３は、従来の問題点を説明するための図である。
【符号の説明】
【００１４】
１００  無線通信端末
１１０  管理部
１１１  無線計測管理部
１１２  無線リソース管理部
１１３  フレームスケジューリング情報管理部
１１４  他端末情報管理部
１２０  制御部
１２１  無線デバイス制御部
１２２  無線制御部
１２３  通信制御部
１２４  フレームスケジュール制御部
１２５  プロトコル制御部
２００  ネットワーク局
２１０  管理部
２１１  無線計測管理部
２１２  無線リソース管理部
２１３  端末制御情報管理部
２１４  端末位置情報管理部
２２０  制御部
２２１  無線デバイス制御部
２２２  無線制御部
２２３  通信制御部
２２４  プロトコル制御部
【発明を実施するための最良の形態】
【００１５】
以下に、ネットワーク装置、通信装置、通信制御方法および通信制御システムの一実施形態について説明する。なお、ネットワーク装置として機能するネットワーク局、および通信装置として機能する無線通信端末を例に挙げて、上記一実施形態である実施例１を説明する。
【実施例１】
【００１６】
図１は、実施例１に係るネットワーク局を説明するための図である。実施例１に係るネットワーク局の骨子について、以下に簡単に説明する。【００１７】
ネットワーク局は、複数の無線通信方式を実装する無線通信端末にて、ネットワーク側に対応する無線通信方式を用いて送受信される無線フレーム、およびローカル側に対応する無線通信方式を用いて送受信される無線フレームの送受信タイミングを予めスケジューリングした複数のスケジューリング情報からなるフレームスケジューリング表を保有する。【００１８】
そして、無線通信端末は、例えば、自己の近傍に他の無線通信端末が位置することを原因として、電波干渉を検知すると（図１の（１）参照）、電波干渉を検地した旨の通知をネットワーク局に送信する（同図の（２）参照）。【００１９】
ネットワーク局は、自局の管理下にある無線通信端末から、電波干渉を検知した旨の通知を受信すると、電波干渉を検知した旨の通知の送信元である無線通信端末に現に割り当てられているフレームスケジューリング情報を変更する（同図の（３）参照）。そして、ネットワーク局は、変更したフレームスケジューリング情報を電波干渉を検知した旨の通知の送信元である無線通信端末に通知する（同図の（４）参照）。【００２０】
［装置の構成（実施例１）］
図２は、実施例１に係る装置構成を示す図である。同図に示すように、無線通信端末１００は、管理部１１０および制御部１２０を有する。【００２１】
管理部１１０は、無線計測管理部１１１、無線リソース管理部１１２およびフレームスケジューリング情報管理部１１３を有する。【００２２】
無線計測管理部１１１は、後述する無線デバイス制御部１２１から無線の電波品質やフレームの送受信状況の測定結果を受け付けて管理する。また、無線通信端末１００がBluetoothを用いてフレームの送受信を行うローカル側デバイス（例えば、ヘッドセット等）の種別ごとに、フレーム送受信状況から電波干渉を検出するための検出条件を予め保有する。そして、無線デバイス制御部１２１から受け付けた測定結果を検出条件に照らし合わせて、無線通信端末１００における電波干渉を検出する。【００２３】
具体的に説明すると、無線計測管理部１１１は、無線デバイス制御部１２１から通知された測定結果から、所定の検出区間である単位時間（例えば、２００ｍｓ）あたりに、ローカル側デバイス（例えば、ヘッドセット等）との間で発生したフレーム送信不可回数をチェックする。そして、無線計測管理部１１１は、チェックしたフレーム送信不可回数を検出条件に照らし合わせて、電波干渉の検出を試みる。電波干渉を検出した場合には、無線計測管理部１１１は、ネットワーク局２００に対して、電波干渉を検出した旨の通知を送信する。【００２４】
無線計測管理部１１１が予め保有する検出条件としては、例えば、図３に示すように、ローカル側デバイス１について、所定の検出区間である単位時間（例えば、２００ｍｓ）内に発生するコリジョン回数（例えば、５回）を電波干渉の検出条件として保有する。また、同図に示すように、ローカル側デバイス２について、所定の検出区間である単位時間（例えば、１００ｍｓ）内に発生するビジー検出回数（例えば、１回）を電波干渉の検出条件として保有する。なお、図３は、実施例１に係る電波干渉検出条件の例を示す図である。【００２５】
無線リソース管理部１１２は、例えば、WiMAXやBluetoothなど、無線通信端末１００にて使用される全ての無線通信方式（無線種別）を管理する。【００２６】
フレームスケジューリング情報管理部１１３は、無線通信端末１００の電源が投入されると、ネットワーク局のサーチを実行する。そして、ネットワーク局２００を検出すると、無線リソース管理部１１２において管理されている全ての無線リソースを確認し、電波干渉の可能性がある場合には、電波干渉の可能性がある旨の通知をネットワーク局２００に送信する。【００２７】
また、フレームスケジューリング情報管理部１１３は、ネットワーク側に対応する無線通信方式であるWiMAXを用いて送受信される無線フレーム、およびローカル側に対応する無線通信方式であるBluetoothを用いて送受信される無線フレームの送受信タイミングを予めスケジューリングしたフレームスケジューリング情報をネットワーク局２００から受信して管理する。【００２８】
制御部１２０は、図２に示すように、無線デバイス制御部１２１、無線制御部１２２、通信制御部１２３、フレームスケジュール制御部１２４およびプロトコル制御部１２５を有する。無線デバイス制御部１２１は、各種別の無線デバイスの制御を行い、各無線デバイスの電波品質やフレーム送受信状況を測定した測定結果を無線計測管理部１１１に通知する。【００２９】
無線制御部１２２は、無線通信方式（無線種別）に応じた状態制御を行う。通信制御部１２３は、フレーム送受信の制御を行う。フレームスケジュール制御部１２４は、フレームスケジューリング情報管理部１１３に管理されているフレームスケジューリング情報を参照して、異なる無線通信方式を用いたフレームの送受信タイミングを制御する。プロトコル制御部１２５は、ネットワーク局２００との間のプロトコル制御を行う。【００３０】
また、ネットワーク局２００は、図２に示すように、管理部２１０および制御部２２０を有する。管理部２１０は、無線計測管理部２１１、無線リソース管理部２１２および端末制御情報管理部２１３を有する。【００３１】
無線計測管理部２１１は、後述する無線デバイス制御部２２１から無線の電波品質やフレームの送受信状況の測定結果を受け付けて管理する。無線リソース管理部１１２は、ネットワーク局２００にて使用される全ての無線通信方式（無線種別）を管理する。【００３２】
端末制御情報管理部２１３は、自局の管理下にある無線通信端末１００を管理するための情報を記録した端末管理テーブルを管理する。例えば、図４に示すように、端末管理テーブルは、自局の管理下にある無線通信端末１００を一意に付与されている端末識別子と、電波干渉の可能性の有無、自局に帰属した無線通信端末１００に付与するグループ番号とを対応付けて記録する。なお、図４は、実施例１に係る端末管理テーブルの構成例を示す図である。【００３３】
また、端末制御情報管理部２１３は、ネットワーク側に対応する無線通信方式であるWiMAXを用いて無線通信端末１００により送受信される送受信される無線フレーム、およびローカル側に対応する無線通信方式であるBluetoothを用いて無線通信端末１００により送受信される無線フレームの送受信タイミングを予めスケジューリングした複数のフレームスケジューリング情報からなるフレームスケジューリング表を管理する。【００３４】
例えば、図５に示すように、フレームスケジューリング表には、自局に帰属した無線通信端末１００に付与するグループ番号（例えば、「０」、「１」、「２」などの番号）と、無線通信端末１００においてネットワーク側で送受信するフレームとローカル側で送受信するフレームとの割合（例えば、ネットワーク側：ローカル側を１：１とする割合）と、ネットワーク局２００側で送信を開始するフレーム（例えば、偶数番目フレームや奇数フレーム番目、３の倍数番目のフレーム）と、フレームの送信継続回数（例えば、１０００回）とが対応付けられている。なお、図５は、実施例１に係るフレームスケジューリング表の構成例を示す図である。【００３５】
端末制御情報管理部２１３は、自局に帰属する無線通信端末１００から電波干渉の可能性がある旨の通知を受信すると、通知の送信元である無線通信端末１００の端末識別子（例えば、「０ｘ００５ａ」、図４参照）と、電波干渉の可能性があることを示す情報「有」（図４参照）と、無線通信端末１００に付与する任意のグループ番号（例えば、帰属時のデフォルト値「０」、図４参照）とを端末管理テーブルに登録して管理する。【００３６】
そして、端末制御情報管理部２１３は、無線通信端末１００に付与したグループ番号に対応付けられているフレームスケジューリング情報（例えば、ネットワーク側／ローカル側割合＝「１：１」、ネットワーク局送信開始フレーム＝「偶数」、継続回数＝「１０００」、図５参照）をフレームスケジューリング表から取得して、電波干渉の可能性がある旨の通知の送信元である無線通信端末１００に送信する。【００３７】
また、端末制御情報管理部２１３は、無線通信端末１００から電波干渉を検出した旨の通知を受信すると、端末管理テーブルを参照して、通知の送信元である無線通信端末１００に現に付与されているグループ番号（例えば、「０」）を別のグループ番号（例えば、「２」、図４参照）に変更する。【００３８】
そして、端末制御情報管理部２１３は、変更したグループ番号に対応付けられたフレームスケジューリング情報（例えば、ネットワーク側／ローカル側割合＝「２：１」、ネットワーク局送信開始フレーム＝「偶数」、継続回数＝「１０００」、図５参照）をフレームスケジューリング表から取得して、電波干渉を検出した旨の通知の送信元である無線通信端末１００に送信する。【００３９】
なお、端末制御情報管理部２１３は、無線通信端末１００に送信したフレームスケジューリング情報を無線制御部２２２へ通知する。【００４０】
制御部２２０は、図２に示すように、無線デバイス制御部２２１、無線制御部２２２、通信制御部２２３およびプロトコル制御部２２４を有する。【００４１】
無線デバイス制御部２２１は、各種別の無線デバイスの制御を行う。無線制御部２２２は、端末制御情報管理部２１３から通知されたフレームスケジューリング情報に基づいて、無線通信方式（無線種別）に応じた状態制御を行う。通信制御部２２３は、フレーム送受信の制御を行う。プロトコル制御部２２４は、無線通信端末１００との間のプロトコル制御を行う。【００４２】
［装置間の処理（実施例１）］
図６および図７は、実施例１に係る装置間の処理の流れを示す図である。【００４３】
［無線通信端末１００の帰属時の処理］
図６に示すように、無線通信端末１００の電源が投入されると、ネットワーク局のサーチを実行して、ネットワーク局２００の検出を試みる（ステップＳ１）。そして、ネットワーク局２００を検出すると（ステップＳ１肯定）、無線通信端末１００のフレームスケジューリング情報管理部１１３は、無線リソース管理部１１２において管理されている全ての無線リソースを確認し、電波干渉の可能性がある場合には、電波干渉の可能性がある旨の通知をネットワーク局２００に送信する（ステップＳ２）。【００４４】
ネットワーク局２００の端末制御情報管理部２１３は、自局に帰属する無線通信端末１００から電波干渉の可能性がある旨の通知を受信すると（ステップＳ３）、通知の送信元である無線通信端末１００の端末識別子（例えば、「０ｘ００５ａ」、図４参照）と、電波干渉の可能性があることを示す情報「有」（図４参照）と、無線通信端末１００に付与する任意のグループ番号（例えば、帰属時のデフォルト値「０」、図４参照）とを端末管理テーブルに登録して管理する（ステップＳ４）。【００４５】
そして、ネットワーク局２００の端末制御情報管理部２１３は、無線通信端末１００に付与したグループ番号に対応付けられているフレームスケジューリング情報（例えば、ネットワーク側／ローカル側割合＝「１：１」、ネットワーク局送信開始フレーム＝「偶数」、継続回数＝「１０００」、図５参照）をフレームスケジューリング表から取得して、電波干渉の可能性がある旨の通知の送信元である無線通信端末１００に送信する（ステップＳ５）。【００４６】
フレームスケジューリング情報を無線通信端末１００に送信した後、ネットワーク局２００の端末制御情報管理部２１３は、無線通信端末１００に送信したフレームスケジューリング情報を無線制御部２２２へ通知する（ステップＳ６）。【００４７】
無線通信端末１００のフレームスケジューリング情報管理部１１３は、フレームスケジューリング情報をネットワーク局２００から受信すると（ステップＳ７）、受信したフレームスケジューリング情報を管理する（ステップＳ８）。【００４８】
なお、図に示していないが、無線通信端末１００のフレームスケジュール制御部１２４は、フレームスケジューリング情報管理部１１３に管理されているフレームスケジューリング情報を参照して、異なる無線通信方式を用いたフレームの送受信タイミングを制御する。【００４９】
［無線通信端末１００における電波干渉検出時の処理］
図７に示すように、無線通信端末１００の無線デバイス制御部１２１は、各無線デバイスの電波品質やフレーム送受信状況を測定し（ステップＳ１）、測定結果を無線計測管理部１１１に通知する。【００５０】
無線通信端末１００の無線計測管理部１１１は、無線デバイス制御部１２１から通知された測定結果から、所定の検出区間である単位時間（例えば、２００ｍｓ）あたりに、ローカル側デバイス（例えば、ヘッドセット等）との間で発生したフレーム送信不可回数をチェックする（ステップＳ２）。【００５１】
そして、無線通信端末１００の無線計測管理部１１１は、チェックしたフレーム送信不可回数を検出条件に照らし合わせて、電波干渉の検出を試みる（ステップＳ３）。電波干渉が検出された場合には（ステップＳ３肯定）、無線通信端末１００の無線計測管理部１１１は、ネットワーク局２００に対して、電波干渉を検出した旨の通知を送信する（ステップＳ４）。これとは反対に、電波干渉が検出されなかった場合には（ステップＳ３否定）、無線通信端末１００の無線計測管理部１１１は、今回の測定結果について、電波干渉を検出した旨を通知を送信することなく、処理を終了する。【００５２】
ネットワーク局２００の端末制御情報管理部２１３は、無線通信端末１００から電波干渉を検出した旨の通知を受信すると（ステップＳ５）、端末管理テーブルを参照して、通知の送信元である無線通信端末１００に現に付与されているグループ番号（例えば、「０」）を別のグループ番号（例えば、「２」、図４参照）に変更する（ステップＳ６）。【００５３】
そして、ネットワーク局２００の端末制御情報管理部２１３は、変更したグループ番号に対応付けられたフレームスケジューリング情報（例えば、ネットワーク側／ローカル側割合＝「２：１」、ネットワーク局送信開始フレーム＝「偶数」、継続回数＝「１０００」、図５参照）をフレームスケジューリング表から取得して、電波干渉を検出した旨の通知の送信元である無線通信端末１００に送信する（ステップＳ７）。【００５４】
新たなフレームスケジューリング情報を無線通信端末１００に送信した後、ネットワーク局２００の端末制御情報管理部２１３は、無線通信端末１００に送信したフレームスケジューリング情報を無線制御部２２２へ通知する（ステップＳ８）。【００５５】
無線通信端末１００のフレームスケジューリング情報管理部１１３は、新たなフレームスケジューリング情報をネットワーク局２００から受信すると（ステップＳ９）、受信した新たなフレームスケジューリング情報を管理する（ステップＳ１０）。【００５６】
なお、図に示していないが、無線通信端末１００のフレームスケジュール制御部１２４は、フレームスケジューリング情報管理部１１３に管理される新たなフレームスケジューリング情報を参照して、異なる無線通信方式を用いたフレームの送受信タイミングを制御する。【００５７】
［実施例１による効果］
上述してきたように、実施例１によれば、ネットワーク局２００は、自局の管理下にある無線通信端末１００から、電波干渉を検知した旨の通知を受信すると、電波干渉を検知した旨の通知の送信元である無線通信端末に現に割り当てられているフレームスケジューリング情報を別のフレームスケジューリング情報に変更する。このようなことから、複数の無線通信方式を実装する無線通信端末が隣接している場合に発生する無線通信端末間の電波干渉を防止できる。
【実施例２】
【００５８】
また、上記の実施例１において、電波干渉を検知した旨の通知の送信元である無線通信端末に現に割り当てられているフレームスケジューリング情報を別のフレームスケジューリング情報に変更する場合を説明したが、この場合に限定されるものではない。【００５９】
例えば、図８に示すように、ネットワーク局２００は、管理部２１０に、自局の管理下にある無線通信端末１００の位置情報を管理する端末位置情報管理部２１４をさらに有する。そして、端末制御情報管理部２１３は、無線通信端末１００から電波干渉を検出した旨の通知を受信すると、端末位置情報管理部２１４に管理されている位置情報を参照し、電波干渉を検出した旨の通知の送信元である無線通信端末１００の近隣にある他の無線通信端末を特定する。【００６０】
電波干渉を検出した旨の通知の送信元である無線通信端末１００の近隣にある他の無線通信端末を特定した後、端末制御情報管理部２１３は、端末管理テーブルおよびフレームスケジューリング表を参照して、他の無線通信端末に割り当てられているフレームスケジューリング情報を検索する。そして、端末制御情報管理部２１３は、他の無線通信端末に割り当てられているフレームスケジューリング情報と同一のフレームスケジューリング情報を、電波干渉を検出した旨の通知の送信元である無線通信端末１００に送信する。【００６１】
また、ネットワーク局２００は、自局の管理下にある無線通信端末１００に対して、端末管理テーブルに登録されているグループ番号をフレームスケジューリング情報とともに送信しておく。そして、図９に示すように、無線通信端末１００は、管理部１１０に、自己のグループ番号を報知するとともに、自己の近隣に位置する無線通信端末から報知されたグループ番号を管理する他端末情報管理部１１４をさらに有する。【００６２】
そして、無線計測管理部１１１は、無線デバイス制御部１２１から通知された測定結果から電波干渉を検出した場合には、他端末情報管理部１１４から、自己の近隣に位置する無線通信端末から報知されたグループ番号を取得し、取得したグループ番号を電波干渉を検出した旨の通知に含めて、ネットワーク局２００に送信する。【００６３】
ネットワーク局２００の端末制御情報管理部２１３は、無線通信端末１００から電波干渉を検出した旨の通知を受信すると、通知に含まれるグループ番号に対応付けられているフレームスケジューリング情報をフレームスケジューリング表から取得して、電波干渉を検出した旨の通知の送信元である無線通信端末１００に送信する。【００６４】
なお、ネットワーク局２００の端末制御情報管理部２１３は、通知に含まれるグループ番号が複数ある場合には、例えば、図８を用いて上述した技術を適用して、最も近隣に位置する無線通信端末に付与されているグループ番号を採用する。そして、採用されたグループ番号に対応付けられているフレームスケジューリング情報をフレームスケジューリング表から取得して、電波干渉を検出した旨の通知の送信元である無線通信端末１００に送信する。なお、図８および図９は、実施例２に係る装置構成を示す図である。【００６５】
このようなことから、例えば、図１０に示すように、相互に近隣に位置する無線通信端末Ａ、無線通信端末Ｂが、WiMAXおよびBluetooth（同図「ＢＴ」参照）といった異なる無線通信方式を用いたフレームの送受信を、同一のスケジュール（同一のグループ番号「２」に対応付けられたスケジュール）で行うことができるので、無線通信端末間の電波干渉をより効率的に防止できる。なお、図１０は、実施例２に係る効果を説明するための図である。
【実施例３】
【００６６】
以下、ネットワーク装置、通信装置、通信制御方法および通信制御システムの他の実施形態について説明する。【００６７】
（１）装置構成等
図２に示したネットワーク局２００の各構成要素は機能概念的なものであり、必ずしも物理的に図示の如く構成されていることを要しない。すなわち、ネットワーク局２００の分散・統合の具体的形態は図示のものに限られず、例えば、無線デバイス制御部２２１と無線制御部２２２とを統合する。このように、ネットワーク局２００の全部または一部を、各種の負荷や使用状況などに応じて、任意の単位で機能的または物理的に分散・統合して構成することができる。さらに、ネットワーク局２００にて行なわれる各処理機能（例えば、図６および図７等参照）は、その全部または任意の一部が、ＣＰＵおよび当該ＣＰＵにて解析実行されるプログラムにて実現され、あるいは、ワイヤードロジックによるハードウェアとして実現され得る。【００６８】
また、図２に示した無線通信端末１００の各構成要素は機能概念的なものであり、必ずしも物理的に図示の如く構成されていることを要しない。すなわち、無線通信端末１００の分散・統合の具体的形態は図示のものに限られず、例えば、無線デバイス制御部１２１と無線制御部１２２とを統合する。このように、無線通信端末１００の全部または一部を、各種の負荷や使用状況などに応じて、任意の単位で機能的または物理的に分散・統合して構成することができる。さらに、無線通信端末１００にて行なわれる各処理機能（例えば、図６および図７等参照）は、その全部または任意の一部が、ＣＰＵおよび当該ＣＰＵにて解析実行されるプログラムにて実現され、あるいは、ワイヤードロジックによるハードウェアとして実現され得る。【００６９】
（２）通信制御方法
上記の実施例１において説明したネットワーク局２００により、以下のような通信制御方法が実現される。【００７０】
すなわち、複数の無線通信方式を実装する無線通信端末１００にて、ネットワーク側に対応する無線通信方式を用いて送受信される無線フレーム、およびローカル側に対応する無線通信方式を用いて送受信される無線フレームの送受信タイミングを予めスケジューリングした複数のフレームスケジューリング情報からなるフレームスケジューリング表の中から、いずれかのフレームスケジューリング情報を選択して、自局の管理下にある無線通信端末１００に割り当てるスケジューリング情報割当ステップと（例えば、図６のステップＳ４参照）、スケジューリング情報割当ステップにより割り当てられたフレームスケジューリング情報を無線通信端末１００に通知するスケジューリング情報通知ステップと（例えば、図６のステップＳ５参照）、無線通信端末１００から電波干渉を検知した旨の通知を受信する電波干渉通知受信ステップと（例えば、図７のステップＳ５参照）を無線通信端末１００を管理下におくネットワーク局２００が実行し、スケジューリング情報割当ステップは、電波干渉通知受信ステップにより電波干渉を検知した旨の通知が受信された場合には、電波干渉を検知した旨の通知の送信元である無線通信端末１００について、スケジューリング情報割当ステップにより現に割り当てられているフレームスケジューリング情報とは異なるフレームスケジューリング情報をフレームスケジューリング表の中から選択して、電波干渉を検知した旨の通知の送信元である無線通信端末１００に新たに割り当て（例えば、図７のステップＳ６参照）、スケジューリング情報通知ステップは、スケジューリング情報割当部により新たに割り当てられたフレームスケジューリング情報を電波干渉を検知した旨の通知の送信元である無線通信端末１００に通知する（例えば、図７のステップＳ７参照）、通信制御方法が実現される。
【図１】
2010073325.tif 000003
【図２】
2010073325.tif 000004
【図３】
2010073325.tif 000005
【図４】
2010073325.tif 000006
【図５】
2010073325.tif 000007
【図６】
2010073325.tif 000008
【図７】
2010073325.tif 000009
【図８】
2010073325.tif 000010
【図９】
2010073325.tif 000011
【図１０】
2010073325.tif 000012
【図１１】
2010073325.tif 000013
【図１２】
2010073325.tif 000014
【図１３】
2010073325.tif 000015
【国際調査報告】
2010073325.tif 000016
2010073325.tif 000017
2010073325.tif 000018
2010073325.tif 000019